(57)【要約】【解決手段】上刃体の先端部４の刃付部１２において正面視凹状でかつ平面視凹状の刃縁線１６を形成するとともに、下刃体の先端部７の刃付部１４において正面視凸状でかつ平面視凹状の刃縁線１８を形成して、上刃体の凹状刃縁線１６と下刃体の凸状刃縁線１８とを互いに噛み合わせて切断可能にした。凹状刃縁線１６の正面視曲率半径及び凸状刃縁線１８の正面視曲率半径を５ｍｍ以上５０ｍｍ以下に設定した。凹状刃縁線１６の両端部１６ａ間の間隔Ｄ及び凸状刃縁線１８の両端部１８ａ間の間隔Ｄを５ｍｍ以上２０ｍｍ以下に設定した。それらの刃縁線１６，１８の頂部１６ｂ，１８ｂがそれらの刃縁線１６，１８の両端部１６ａ，１８ａ間を結ぶ想定線に対しなす正面視距離Ｅを０．５ｍｍ以上３ｍｍ以下に設定した。【効果】凹状刃縁線１６及び凸状刃縁線１８を爪の形態に合わせ易くなるため、爪を良好に切断することができる。【選択図】図３
2018102408.tif 000002
【特許請求の範囲】
【請求項１】
先端部に刃付部を有する第一刃体と先端部に刃付部を有する第二刃体とを備え、操作部材により第一刃体の先端部の刃付部と第二刃体の先端部の刃付部とを互いに接近及び離間させることができる爪切りにおいて、
第一刃体の刃付部の刃縁線の両端部を通るとともに、第二刃体の刃付部側から第一刃体の刃付部側へ向かうに従い鉛直面に対し第一刃体の先端部側から第一刃体の基端部側へ傾斜する第一基準面上にあって、第一刃体の刃付部の刃縁線は、第二刃体の刃付部の刃縁線から離間する向きへ、第一刃体の刃付部の刃縁線の両端部間を結ぶ想定線に対し凹んで凹状をなし、この凹状刃縁線を前記鉛直面へ投影させた投影刃縁線の曲率半径は５ｍｍ以上５０ｍｍ以下に設定され、
第二刃体の刃付部の刃縁線の両端部を通るとともに、第二刃体の刃付部側から第一刃体の刃付部側へ向かうに従い鉛直面に対し第二刃体の先端部側から第二刃体の基端部側へ傾斜する第二基準面上にあって、第二刃体の刃付部の刃縁線は、第一刃体の刃付部の刃縁線に接近する向きへ、第二刃体の刃付部の刃縁線の両端部間を結ぶ想定線から突出して凸状をなし、この凸状刃縁線を前記鉛直面へ投影させた投影刃縁線の曲率半径は５ｍｍ以上５０ｍｍ以下に設定され、
第一刃体の刃付部の凹状刃縁線と第二刃体の刃付部の凸状刃縁線とを互いに噛み合わせて切断可能にしたことを特徴とする爪切り。
【請求項２】
前記第一基準面上において前記凹状刃縁線の両端部間の間隔は５ｍｍ以上２０ｍｍ以下に設定され、前記第二基準面上において前記凸状刃縁線の両端部間の間隔は５ｍｍ以上２０ｍｍ以下に設定されていることを特徴とする請求項１に記載の爪切り。
【請求項３】
前記第一基準面上の凹状刃縁線を前記鉛直面へ投影させた投影刃縁線でその両端部間の頂部が前記想定線に対しなす鉛直距離は０．５ｍｍ以上３ｍｍ以下に設定され、前記第二基準面上の凸状刃縁線を前記鉛直面へ投影させた投影刃縁線でその両端部間の頂部が前記想定線に対しなす鉛直距離は０．５ｍｍ以上３ｍｍ以下に設定されていることを特徴とする請求項１または請求項２に記載の爪切り。
【請求項４】
前記第一基準面上の凹状刃縁線を前記鉛直面へ投影させた投影刃縁線はその両端部間を結ぶ想定線を弦とする円弧状をなし、前記第二基準面上の凸状刃縁線を前記鉛直面へ投影させた投影刃縁線はその両端部間を結ぶ想定線を弦とする円弧状をなしていることを特徴とする請求項１〜３のうちいずれか一つの請求項に記載の爪切り。
【請求項５】
前記第一基準面上の凹状刃縁線を前記鉛直面へ投影させた投影刃縁線の曲率半径と前記第二基準面上の凸状刃縁線を前記鉛直面へ投影させた投影刃縁線の曲率半径とは同一に設定されていることを特徴とする請求項１〜４のうちいずれか一つの請求項に記載の爪切り。
【請求項６】
前記第一刃体の刃付部で凹状刃縁線の対辺に対し両端部間の頂部がなす鉛直距離は、凹状刃縁線の対辺に対し両端部がなす鉛直距離より小さく設定され、前記第二刃体の刃付部で凸状刃縁線の対辺に対し両端部間の頂部がなす鉛直距離は、凸状刃縁線の対辺に対し両端部がなす鉛直距離より大きく設定されていることを特徴とする請求項１〜５のうちいずれか一つの請求項に記載の爪切り。
【請求項７】
前記第一刃体の刃付部で凹状刃縁線の対辺に対し両端部間の頂部がなす鉛直距離は、前記第二刃体の刃付部で凸状刃縁線の対辺に対し両端部間の頂部がなす鉛直距離より小さく設定されていることを特徴とする請求項１〜６のうちいずれか一つの請求項に記載の爪切り。
【発明の詳細な説明】
【技術分野】
【０００１】
本発明は、先端部に刃付部を有する上下両刃体を操作部材により互いに接近及び離間させることができる爪切りに関するものである。
【背景技術】
【０００２】
下記の特許文献１等で開示された従来の爪切りにおいては、図８に示すように、上下両刃体２，５の先端部４，７に刃付部１２，１４が折曲形成されて相対向し、上刃体２に回動可能に支持された押圧操作てこ１０により、上刃体２が下刃体５側へ押圧されて、上下両刃体２，５の先端部４，７の刃付部１２，１４が互いに接近及び離間する。上刃体２において、先端部４には終端部１１ａから下刃体５の先端部７側へ屈曲された刃付部１２が形成されている。また、下刃体５において、先端部７には終端部１３ａから上刃体２の先端部４側へ屈曲された刃付部１４が形成されている。上刃体２の刃付部１２の尖端部には刃縁線１６が形成されているとともに、下刃体５の刃付部１４の尖端部には刃縁線１８が形成され、それらの刃縁線１６，１８が互いに相対向している。
【０００３】
上刃体２の刃付部１２の刃縁線１６と下刃体５の刃付部１４の刃縁線１８とを互いに噛み合わせた状態で、それらの刃縁線１６，１８は、正面視で幅方向へ直線状に設定されているとともに、平面視及び底面視で凹状に設定されている。
【先行技術文献】
【特許文献】
【０００４】
【特許文献１】実開平４−１１６９０４号公報
【発明の概要】
【発明が解決しようとする課題】
【０００５】
図５に示すように、指２１をその正面側から見た場合、通常、爪２２は指２１の腹２１ａから離れる上向きへ膨らむように湾曲し、指２１をその平面側から見た場合、通常、爪２２は指２１の頭２１ｂから離れる前向きへ膨らむように湾曲している。
【０００６】
図８に示す従来の爪切りにおいて上下両刃体２，５の先端部４，７の刃縁線１６，１８間にこのような形態の爪２２を挿入すると、爪２２の形態に両刃縁線１６，１８の形態がうまく合わないために、爪２２の幅方向中央の上面に上刃体２の先端部４の刃縁線１６がまず当接するとともに、爪２２の幅方向両側の下面に下刃体５の先端部７の刃縁線１８がまず当接する。そのような状態で両刃縁線１６，１８により爪２２を切断すると、爪２２に不均一な切断力が与えられるため、爪２２が割れるおそれがあった。
【０００７】
この発明は、爪切りにおいて刃体の先端部の形態を改良することにより、爪を良好に切断することを目的としている。
【課題を解決するための手段】
【０００８】
後記実施形態の図面（図１〜７）の符号を援用して本発明を説明する。
請求項１の発明にかかる爪切り（１）においては、先端部（４）に刃付部（１２）を有する第一刃体（２）と先端部（７）に刃付部（１４）を有する第二刃体（５）とを備え、操作部材（８）により第一刃体（２）の先端部（４）の刃付部（１２）と第二刃体（５）の先端部（７）の刃付部（１４）とを互いに接近及び離間させることができる。第一刃体（２）の刃付部（１２）の刃縁線（１６）の両端部（１６ａ）を通るとともに、第二刃体（５）の刃付部（１４）側から第一刃体（２）の刃付部（１２）側へ向かうに従い鉛直面（Ｖ）に対し第一刃体（２）の先端部（４）側から第一刃体（２）の基端部側へ傾斜する第一基準面（Ｐ）上にあって、第一刃体（２）の刃付部（１２）の刃縁線（１６）は、第二刃体（５）の刃付部（１４）の刃縁線（１８）から離間する向きへ、第一刃体（２）の刃付部（１２）の刃縁線（１６）の両端部（１６ａ）間を結ぶ想定線（Ｑ）に対し凹んで凹状をなしている。この凹状刃縁線（１６）を前記鉛直面（Ｖ）へ投影させた投影刃縁線（１６Ｖ）の曲率半径（ＲＶ１６）は５ｍｍ以上５０ｍｍ以下に設定されている。第二刃体（２）の刃付部（１４）の刃縁線（１８）の両端部（１８ａ）を通るとともに、第二刃体（５）の刃付部（１４）側から第一刃体（２）の刃付部（１２）側へ向かうに従い鉛直面（Ｖ）に対し第二刃体（５）の先端部（７）側から第二刃体（５）の基端部側へ傾斜する第二基準面（Ｐ）上にあって、第二刃体（５）の刃付部（１４）の刃縁線（１８）は、第一刃体（２）の刃付部（１２）の刃縁線（１６）に接近する向きへ、第二刃体（５）の刃付部（１４）の刃縁線（１８）の両端部（１８ａ）間を結ぶ想定線（Ｑ）から突出して凸状をなしている。この凸状刃縁線（１８）を前記鉛直面（Ｖ）へ投影させた投影刃縁線（１８Ｖ）の曲率半径（ＲＶ１８）は５ｍｍ以上５０ｍｍ以下に設定されている。第一刃体（２）の刃付部（１２）の凹状刃縁線（１６）と第二刃体（５）の刃付部（１４）の凸状刃縁線（１８）とを互いに噛み合わせて切断可能にした。
【０００９】
請求項１の発明では、第一刃体（２）の刃付部（１２）において前記鉛直面（Ｖ）への投影刃縁線（１６Ｖ）を曲率半径（ＲＶ１６）が５ｍｍ以上５０ｍｍ以下の凹状に設定するとともに、第二刃体（５）の刃付部（１４）において前記鉛直面（Ｖ）への投影刃縁線（１８Ｖ）を曲率半径（ＲＶ１８）が５ｍｍ以上５０ｍｍ以下の凸状に設定している。そのため、第一刃体（２）の刃付部（１２）において平面視凹状の刃縁線（１６）を形成するとともに、第二刃体（５）の刃付部（１４）において平面視凹状の刃縁線（１８）を形成するばかりではなく、第一刃体（２）の刃付部（１２）において正面視凹状の刃縁線（１６）を形成するとともに、第二刃体（５）の刃付部（１４）において正面視凸状の刃縁線（１８）を形成して、爪（２２）の形態に合わせることができる。従って、爪（２２）を良好に切断することができる。
【００１０】
請求項１の発明を前提とする請求項２の発明において、前記第一基準面（Ｐ）上において前記凹状刃縁線（１６）の両端部（１６ａ）間の間隔（Ｗ）は５ｍｍ以上２０ｍｍ以下に設定され、前記第二基準面（Ｐ）上において前記凸状刃縁線（１８）の両端部（１８ａ）間の間隔（Ｗ）は５ｍｍ以上２０ｍｍ以下に設定されている。請求項２の発明では、第一刃体（２）の刃付部（１２）の凹状刃縁線（１６）及び第二刃体（５）の刃付部（１４）の凸状刃縁線（１８）を爪（２２）の形態に合わせ易い。
【００１１】
請求項１または請求項２の発明を前提とする請求項３の発明において、前記第一基準面（Ｐ）上の凹状刃縁線（１６）を前記鉛直面（Ｖ）へ投影させた投影刃縁線（１６Ｖ）でその両端部（１６ａ）間の頂部（１６ｂ）が前記想定線（Ｑ）に対しなす鉛直距離（ＬＶ）は０．５ｍｍ以上３ｍｍ以下に設定され、前記第二基準面（Ｐ）上の凸状刃縁線（１８）を前記鉛直面（Ｖ）へ投影させた投影刃縁線（１８Ｖ）でその両端部（１８ａ）間の頂部（１８ｂ）が前記想定線（Ｑ）に対しなす鉛直距離（ＬＶ）は０．５ｍｍ以上３ｍｍ以下に設定されている。請求項３の発明では、第一刃体（２）の刃付部(１２)の凹状刃縁線(１６)及び第二刃体（５）の刃付部(１４)の凸状刃縁線(１８)を爪(２２)の形態に合わせ易い。
【００１２】
請求項１〜３のうちいずれか一つの請求項の発明を前提とする請求項４の発明において、前記第一基準面（Ｐ）上の凹状刃縁線（１６）を前記鉛直面（Ｖ）へ投影させた投影刃縁線（１６Ｖ）はその両端部（１６ａ）間を結ぶ想定線（Ｑ）を弦とする円弧状をなし、前記第二基準面（Ｐ）上の凸状刃縁線（１８）を前記鉛直面（Ｖ）へ投影させた投影刃縁線（１８Ｖ）はその両端部(１８ａ)間を結ぶ想定線（Ｑ）を弦とする円弧状をなしている。請求項４の発明では、第一刃体（２）の刃付部(１２)に凹状刃縁線（１６）を形成し易いとともに、第二刃体（５）の刃付部(１４)に凸状刃縁線(１８)を形成し易い。
【００１３】
請求項１〜４のうちいずれか一つの請求項の発明を前提とする請求項５の発明において、前記第一基準面（Ｐ）上の凹状刃縁線（１６）を前記鉛直面（Ｖ）へ投影させた投影刃縁線（１６Ｖ）の曲率半径（Ｒ１６）と前記第二基準面（Ｐ）上の凸状刃縁線（１８）を前記鉛直面（Ｖ）へ投影させた投影刃縁線（１８Ｖ）の曲率半径（Ｒ１８）とは同一に設定されている。請求項５の発明では、第一刃体（２）の刃付部(１２)の凹状刃縁線(１６)と第二刃体（５）の刃付部(１４)の凸状刃縁線(１８)とを確実に噛み合せることができる。
【００１４】
請求項１〜５のうちいずれか一つの請求項の発明を前提とする請求項６の発明において、前記第一刃体（２）の刃付部(１２)で凹状刃縁線(１６)の対辺(１９)に対し両端部(１６ａ)間の頂部（１６ｂ）がなす鉛直距離（Ｍ１９）は、凹状刃縁線(１６)の対辺(１９)に対し両端部(１６ａ)がなす鉛直距離（Ｎ１９）より小さく設定され、前記第二刃体（５）の刃付部(１４)で凸状刃縁線（１８）の対辺(２０)に対し両端部(１８ａ)間の頂部(１８ｂ)がなす鉛直距離（Ｍ２０）は、凸状刃縁線（１８）の対辺(２０)に対し両端部(１８ａ)がなす鉛直距離（Ｎ２０）より大きく設定されている。請求項６の発明では、第一刃体（２）の刃付部(１２)に凹状刃縁線(１６)を形成することができるとともに、第二刃体（５）の刃付部(１４)に凸状刃縁線(１８)を形成することができる。
【００１５】
請求項１〜６のうちいずれか一つの請求項の発明を前提とする請求項７の発明において前記第一刃体（２）の刃付部(１２)で凹状刃縁線（１６)の対辺(１９)に対し両端部(１６ａ)間の頂部（１６ｂ）がなす鉛直距離(Ｍ１９)は、前記第二刃体（５）の刃付部(１４)で凸状刃縁線(１８)の対辺(２０)に対し両端部(１８ａ)間の頂部（１８ｂ）がなす鉛直距離(Ｍ２０)より小さく設定されている。この場合、前記第一刃体（２）の刃付部(１２)で凹状刃縁線(１６)の対辺(１９)に対し両端部(１６ａ)がなす鉛直距離（Ｎ１９）と、前記第二刃体（５）の刃付部(１４)で凸状刃縁線(１８)の対辺(２０)に対し両端部(１８ａ)がなす鉛直距離（Ｎ２０）とを同一に設定することができる。請求項７の発明では、第一刃体（２）の刃付部(１２)に凹状刃縁線（１６)を形成することができるとともに、第二刃体（５）の刃付部(１４)に凸状刃縁線（１８)を形成することができる。
【００１６】
次に、請求項以外の技術的思想について実施形態の図面の符号を援用して説明する。
請求項１〜７のうちいずれか一つの請求項の発明を前提とする第８の発明にかかる第一刃体（２）の刃付部(１２)において凹状刃縁線(１６)から連続する両刃付面（１５）がなす刃付角（θ１５）は２０度以上７５度以下に設定され、前記第二刃体（５）の刃付部(１４)において凸状刃縁線(１８)から連続する両刃付面(１７)がなす刃付角（θ１７）は２０度以上７５度以下に設定されている。第８の発明では、凹状刃縁線(１６)と凸状刃縁線(１８)とによる切れ味を良くすることができる。
【００１７】
請求項１〜７のうちいずれか一つの請求項の発明、または第８の発明を前提とする第９の発明において、操作部材（８）は第一刃体（２）に対し回動可能に支持した押圧操作てこ(１０)を備え、第一刃体（２）の先端部（４）にはその押圧操作てこ(１０)により第二刃体（５）側へ押圧される押圧部(１１)を設けた。第９の発明では、押圧操作てこ(１０)により、第一刃体（２）の先端部（４）の刃付部（１２)と第二刃体（５）の先端部（７）の刃付部(１４)とを互いに接近及び離間させ易い。
【発明の効果】
【００１８】
本発明は、爪切り（１）において、爪（２２）の形態に合わせた凹状刃縁線(１６)及び凸状刃縁線(１８)を形成したので、爪(２２)を良好に切断することができる。
【図面の簡単な説明】
【００１９】
【図１】不使用状態の爪切りを示す斜視図である。
【図２】使用状態の爪切りを示す側面図である。
【図３】（ａ）は図２の爪切りにおいて上下両刃体の刃付部の刃縁線を互いに噛み合わせた状態を示す部分拡大側面図であり、（ｂ）は同じく部分拡大正面図であり、（ｃ）は同じく部分拡大平面図であり、（ｄ）は同じく部分拡大底面図である。
【図４】（ａ）はＸＹＺ三次元座標中の刃縁線を示す模式図であり、（ｂ）はＸＹＺ三次元座標中の基準面上にある刃縁線を示す模式図である。
【図５】（ａ）は指の爪を示す正面図であり、（ｂ）は指の爪を示す平面図である。
【図６】（ａ）はＸＹＺ三次元座標中において鉛直面への投影刃縁線を示す模式図であり、（ｂ）はＹＺ二次元座標中において鉛直面への投影刃縁線を示す模式図である。
【図７】（ａ）はＸＹＺ三次元座標中において水平面への投影刃縁線を示す模式図であり、（ｂ）はＸＹ二次元座標中において水平面への投影刃縁線を示す模式図である。
【図８】（ａ）は従来の爪切りにおいて上下両刃体の刃付部の刃縁線を互いに噛み合わせた状態を示す一部切欠き側面図であり、（ｂ）は同じく部分拡大正面図であり、（ｃ）は同じく部分拡大平面図であり、（ｄ）は同じく部分拡大底面図である。
【発明を実施するための形態】
【００２０】
以下、本発明の一実施形態について図１〜７を参照して説明する。
図１に示すように、不使用状態にある爪切り１において、第一刃体としての上刃体２は刃体本体３とその刃体本体３に連続する先端部４とを備え、第二刃体としての下刃体５は刃体本体６とその刃体本体６に連続する先端部７とを備え、それらの刃体本体３，６の基端部が互いに取着されているとともに、それらの先端部４，７が互いに離間している。操作部材８は、上刃体２の刃体本体３及び下刃体５の刃体本体６に対しそれらの先端部４，７の付近で軸線を中心に回動可能に支持された支軸９と、上刃体２の刃体本体３上で支軸９に対し回動可能に支持された押圧操作てこ１０とを備えている。押圧操作てこ１０が図１に示すように倒伏された不使用状態から図２に示すように支軸９に対し回動されて起立された使用状態で、押圧操作てこ１０により上刃体２の刃体本体３を下刃体５の刃体本体６側へ押圧すると、上刃体２の先端部４と下刃体５の先端部７とは上刃体２及び下刃体５の弾性力に抗して互いに接近するとともに、それらの弾性力により互いに離間する。
【００２１】
図２に示すように、上刃体２において、刃体本体３には押圧操作てこ１０により押圧される押圧部１１が形成され、先端部４には押圧部１１の終端部１１ａから下刃体５の先端部７側へ鋭角で屈曲された刃付部１２が形成されている。また、下刃体５において、刃体本体６には支軸９に対する係止部１３が形成され、先端部７には係止部１３の終端部１３ａから上刃体２の先端部４側へ鋭角で屈曲された刃付部１４が形成されている。図３に示すように、上刃体２の刃付部１２の尖端部には両刃付面１５間で刃縁線１６が形成されているとともに、下刃体５の刃付部１４の尖端部には両刃付面１７間で刃縁線１８が形成され、それらの刃縁線１６，１８が互いに相対向している。
【００２２】
図３，４に示すように、上刃体２の刃付部１２の刃縁線１６と下刃体５の刃付部１４の刃縁線１８とを互いに噛み合せた状態で、ＹＺ座標線を含む鉛直面ＶとＸＹ座標線を含む水平面Ｈと所定の基準面Ｐ（第一基準面及び第二基準面）上の両刃縁線１６，１８とを設定する。図４に示す第一基準面（基準面Ｐ）は、上刃体２の刃付部１２の刃縁線１６の両端部１６ａを通るとともに、下刃体５の刃付部１４側から上刃体２の刃付部１２側へ向かうに従い鉛直面Ｖに対し上刃体２の先端部４側から基端部側へ傾斜する。図４に示す第二基準面（基準面Ｐ）は、下刃体５の刃付部１４の刃縁線１８の両端部１８ａを通るとともに、下刃体５の刃付部１４側から上刃体２の刃付部１２側へ向かうに従い鉛直面Ｖに対し下刃体５の先端部４側から基端部側へ傾斜する。
【００２３】
図４の模式図で示すように、第一基準面と第二基準面とが一つの基準面Ｐとして重なる場合には、刃縁線１６の両端部１６ａと刃縁線１８の両端部１８ａとがＹ座標線上で互いに一致するとともに、刃縁線１６における両端部１６ａ間の頂部１６ｂと刃縁線１８における両端部１８ａ間の頂部１８ｂとが、Ｘ座標線上の点１６Ｈｂ，１８Ｈｂを通る鉛直線とＺ座標線上の点１６Ｖｂ，１８Ｖｂを通る水平線との交差点で互いに一致する。実際には、刃縁線１６と刃縁線１８とが極僅かにずれて互いに噛み合うため、第一基準面と第二基準面とが一つの基準面Ｐで重ならず、そのずれ分だけ第一基準面と第二基準面も互いにずれる。
【００２４】
なお、基準面Ｐ（第一基準面及び第二基準面）は、平面ばかりでなく、凹状曲面でもよく、例えば、刃縁線１６，１８の両端部１６ａ，１８ａ間を結ぶ想定線Ｑの中央部でＹ座標線に対しＺ座標線方向へ離間するように凹状に湾曲する曲面や、その想定線Ｑに対し直交する想定線でＸ座標線に対しＺ座標線方向へ離間するように凹状に湾曲する曲面であってもよく、基準面Ｐの形態に応じて基準面Ｐ上の両刃縁線１６，１８の形態も任意に変更することができる。
【００２５】
図４に示す基準面Ｐ上において、上刃体２の刃付部１２の刃縁線１６は、下刃体５の刃付部１４の刃縁線１８から離間する向きへ、上刃体２の刃付部１２の刃縁線１６の両端部１６ａ間を結ぶ想定線Ｑに対し凹んで凹状をなす。その基準面Ｐ上において凹状刃縁線１６の曲率半径をＲ１６とした場合、図６に示すようにその凹状刃縁線１６を前記鉛直面Ｖへ投影させた投影刃縁線１６Ｖは想定線Ｑを弦とする円弧状をなし、その投影刃縁線１６Ｖの曲率半径ＲＶ１６を図５に示す爪２２の正面視及び平面視の形態に合わせて５ｍｍ以上５０ｍｍ以下、好ましくは５ｍｍ以上３０ｍｍ以下、さらに好ましくは８ｍｍ以上２５ｍｍ以下に設定することができる。
【００２６】
図４に示す基準面Ｐ上において、下刃体５の刃付部１４の刃縁線１８は、上刃体２の刃付部１２の刃縁線１６と一致し、上刃体２の刃付部１２の刃縁線１６に接近する向きへ、下刃体５の刃付部１４の刃縁線１８の両端部１８ａ間を結ぶ想定線Ｑから突出して凸状をなす。その基準面Ｐ上において凸状刃縁線１８の曲率半径をＲ１８とした場合、図６に示すようにその凸状刃縁線１８を前記鉛直面Ｖへ投影させた投影刃縁線１８Ｖは想定線Ｑを弦とする円弧状をなし、その凸状刃縁線１８の曲率半径ＲＶ１８を図５に示す爪２２の正面視及び平面視の形態に合わせて５ｍｍ以上５０ｍｍ以下、好ましくは５ｍｍ以上３０ｍｍ以下、さらに好ましくは８ｍｍ以上２５ｍｍ以下に設定することができる。
【００２７】
ちなみに、図４に示す基準面Ｐ上において、凹状刃縁線１６と凸状刃縁線１８とは互いに同一に設定されている。また、図６に示すように、投影刃縁線１６Ｖの曲率半径ＲＶ１６と投影刃縁線１８Ｖの曲率半径ＲＶ１８とは互いに同一に設定されている。
【００２８】
一方、図７に示すように凹状刃縁線１６を前記水平面Ｈへ投影させた投影刃縁線１６Ｈは想定線Ｑを弦とする円弧状をなし、その投影刃縁線１６Ｈの曲率半径ＲＨ１６を図５に示す爪２２の正面視及び平面視の形態に合わせて８ｍｍ以上５０ｍｍ以下、好ましくは１０ｍｍ以上３０ｍｍ以下に設定することができる。また、図７に示すように凸状刃縁線１８を前記水平面Ｈへ投影させた投影刃縁線１８Ｈは想定線Ｑを弦とする円弧状をなし、その投影刃縁線１８Ｈの曲率半径ＲＨ１８を図５に示す爪２２の正面視及び平面視の形態に合わせて８ｍｍ以上５０ｍｍ以下、好ましくは１０ｍｍ以上３０ｍｍ以下に設定することができる。ちなみに、図７に示すように、投影刃縁線１６Ｈの曲率半径ＲＨ１６と投影刃縁線１８Ｈの曲率半径ＲＨ１８とは互いに同一に設定されている。
【００２９】
図４に示す基準面Ｐ上において、凹状刃縁線１６の両端部１６ａ間の間隔Ｗは、図５に示す爪２２の正面視及び平面視の形態に合わせて、５ｍｍ以上２０ｍｍ以下、好ましくは７ｍｍ以上１６ｍｍ以下に設定されている。また、図４に示す基準面Ｐ上において、凸状刃縁線１８の両端部１８ａ間の間隔Ｗは、図５に示す爪２２の正面視及び平面視の形態に合わせて、５ｍｍ以上２０ｍｍ以下、好ましくは７ｍｍ以上１６ｍｍ以下に設定されている。凹状刃縁線１６側の間隔Ｗと凸状刃縁線１８側の間隔Ｗとは互いに同一に設定されている。
【００３０】
図４に示す基準面Ｐ上において凹状刃縁線１６でその両端部１６ａ間の頂部１６ｂが想定線Ｑに対しなす距離をＬとした場合、図６に示すようにその凹状刃縁線１６を前記鉛直面Ｖへ投影させた投影刃縁線１６Ｖでその両端部１６ａ間の頂部１６Ｖｂが想定線Ｑに対しなす鉛直距離ＬＶは図５に示す爪２２の正面視及び平面視の形態に合わせて０．５ｍｍ以上３ｍｍ以下、好ましくは０．５ｍｍ以上２．０ｍｍ以下に設定されている。また、図４に示す基準面Ｐ上において凸状刃縁線１８でその両端部１８ａ間の頂部１８ｂが想定線Ｑに対しなす距離をＬとした場合、図６に示すようにその凸状刃縁線１８を前記鉛直面Ｖへ投影させた投影刃縁線１８Ｖでその両端部１８ａ間の頂部１８Ｖｂが想定線Ｑに対しなす鉛直距離ＬＶは図５に示す爪２２の正面視及び平面視の形態に合わせて０．５ｍｍ以上３ｍｍ以下、好ましくは０．５ｍｍ以上２．０ｍｍ以下に設定されている。凹状刃縁線１６側の距離Ｌと凸状刃縁線１８側の距離Ｌとは互いに同一に設定されているとともに、凹状刃縁線１６側の鉛直距離ＬＶと凸状刃縁線１８側の鉛直距離ＬＶとは互いに同一に設定されている。
【００３１】
一方、図７に示すように凹状刃縁線１６を前記水平面Ｈへ投影させた投影刃縁線１６Ｈでその両端部１６ａ間の頂部１６Ｈｂが想定線Ｑに対しなす水平距離ＬＨは図５に示す爪２２の正面視及び平面視の形態に合わせて０．１ｍｍ以上２ｍｍ以下、好ましくは０．３ｍｍ以上１．２ｍｍ以下に設定されている。また、図７に示すように凸状刃縁線１８を前記水平面Ｈへ投影させた投影刃縁線１８Ｈでその両端部１８ａ間の頂部１８Ｈｂが想定線Ｑに対しなす水平距離ＬＨは図５に示す爪２２の正面視及び平面視の形態に合わせて０．１ｍｍ以上２ｍｍ以下、好ましくは０．３ｍｍ以上１．２ｍｍ以下に設定されている。凹状刃縁線１６側の水平距離ＬＨと凸状刃縁線１８側の水平距離ＬＨとは互いに同一に設定されている。
【００３２】
図３に示すように、上刃体２の刃付部１２で凹状刃縁線１６の対辺１９に対し両端部１６ａ間の頂部１６ｂがなす正面視鉛直距離Ｍ１９は、凹状刃縁線１６の対辺１９に対し両端部１６ａがなす正面視鉛直距離Ｎ１９より小さく設定されている。また、下刃体５の刃付部１４で凸状刃縁線１８の対辺２０に対し両端部１８ａ間の頂部１８ｂがなす正面視鉛直距離Ｍ２０は、凸状刃縁線１８の対辺２０に対し両端部１８ａがなす正面視鉛直距離Ｎ２０より大きく設定されている。
【００３３】
図３に示すように、上刃体２の刃付部１２で凹状刃縁線１６の対辺１９に対し両端部１６ａ間の頂部１６ｂがなす正面視鉛直距離Ｍ１９は、下刃体５の刃付部１４で凸状刃縁線１８の対辺２０に対し両端部１８ａ間の頂部１８ｂがなす正面視鉛直距離Ｍ２０より小さく設定されている。また、上刃体２の刃付部１２で凹状刃縁線１６の対辺１９に対し両端部１６ａがなす正面視鉛直距離Ｎ１９は、下刃体５の刃付部１４で凸状刃縁線１８の対辺２０に対し両端部１８ａがなす正面視鉛直距離Ｎ２０と同一に設定されている。
【００３４】
ちなみに、正面視鉛直距離Ｍ１９は１．５ｍｍ以上６ｍｍ以下に設定され、正面視鉛直距離Ｍ２０は３ｍｍ以上８ｍｍ以下に設定されている。また、正面視鉛直距離Ｎ１９と正面視鉛直距離Ｎ２０とは２．５ｍｍ以上６ｍｍ以下に設定されている。
【００３５】
図３に示すように、上刃体２の刃付部１２において凹状刃縁線１６から連続する両刃付面１５がなす刃付角θ１５を２０度以上７５度以下、好ましくは３０度以上６０度以下に設定することができる。また、下刃体５の刃付部１４において凸状刃縁線１８から連続する両刃付面１７がなす刃付角θ１７を２０度以上７５度以下、好ましくは３０度以上６０度以下に設定することができる。上刃体２側の刃付角θ１５と下刃体５側の刃付角θ１７とは、互いにほぼ同一に設定されているが、互いに異なるように設定することができる。
【００３６】
図５に示すように、指２１をその正面側から見た場合、通常、爪２２は指２１の腹２１ａから離れる上向きへ膨らむように湾曲し、指２１をその平面側から見た場合、通常、爪２２は指２１の頭２１ｂから離れる前向きへ膨らむように湾曲している。
【００３７】
上刃体２の刃付部１２の凹状刃縁線１６及び下刃体５の刃付部１４の凸状刃縁線１８の形態を前述した数値に設定する場合、まず、多数の男性及び多数の女性の親指と人差し指と中指と薬指と小指とについて、図５に示す爪２２の幅Ａと高さＢとを測定し、単一円弧と仮定した爪２２の正面視湾曲部の曲率半径を求めるとともに、単一円弧と仮定した爪２２の平面視湾曲部の曲率半径Ｃを測定した。そして、図３に示す凹状刃縁線１６及び凸状刃縁線１８の幅Ｄ（前記間隔Ｗ）と高さＥ（前記鉛直距離ＬＶ）と前記曲率半径ＲＶ１６，ＲＶ１８と曲率半径Ｆ（前記曲率半径ＲＨ１６，ＲＨ１８）とを爪２２の測定値の平均値を参考にして各指について汎用性のあるように設定した。それらの設定値に基づき、曲率半径ＲＨ１６，ＲＨ１８の投影刃縁線１６Ｈ，１８Ｈを含む凹状鉛直面に対し曲率半径ＲＶ１６，ＲＶ１８の投影刃縁線１６Ｖ，１８Ｖを水平方向で投影して生じる三次元曲線を設計刃縁線として設定して刃体素材を加工し、上刃体２の刃付部１２の凹状刃縁線１６と下刃体５の刃付部１４の凸状刃縁線１８とを設定することができる。
【００３８】
次に、爪切り１の使用例を述べる。
図２に示す使用状態で、爪２２を凹状刃縁線１６と凸状刃縁線１８との間に挿入すると、図５に示す爪２２の正面視及び平面視の形態が図３に示す両刃縁線１６，１８の正面視及び平面視の形態に合い易い。そのような状態で押圧操作てこ１０を操作して両刃縁線１６，１８により爪２２を切断すると、爪２２が良好に切断される。
【００３９】
本実施形態は下記の効果を有する。
（１）  上刃体２の先端部４の刃付部１２において正面視凹状でかつ平面視凹状の刃縁線１６を形成するとともに、下刃体５の先端部７の刃付部１４において正面視凸状でかつ平面視凹状の刃縁線１８を形成して、上刃体２の凹状刃縁線１６と下刃体５の凸状刃縁線１８とを互いに噛み合わせて切断可能にした。従って、爪２２を良好に切断することができる。
【００４０】
（２）  凹状刃縁線１６を前記鉛直面Ｖへ投影させた投影刃縁線１６Ｖの曲率半径ＲＶ１６と、凸状刃縁線１８を前記鉛直面Ｖへ投影させた投影刃縁線１８Ｖの曲率半径ＲＶ１８とをそれぞれ５ｍｍ以上５０ｍｍ以下に設定した。また、凹状刃縁線１６の両端部１６ａ間の間隔Ｗ及び凸状刃縁線１８の両端部１８ａ間の間隔Ｗを５ｍｍ以上２０ｍｍ以下に設定した。また、凹状刃縁線１６を前記鉛直面Ｖへ投影させた投影刃縁線１６Ｖでその両端部１６ａ間の頂部１６Ｖｂが想定線Ｑに対しなす鉛直距離ＬＶと、凸状刃縁線１８を前記鉛直面Ｖへ投影させた投影刃縁線１８Ｖでその両端部１８ａ間の頂部１８Ｖｂが想定線Ｑに対しなす鉛直距離ＬＶとをそれぞれ０．５ｍｍ以上３ｍｍ以下に設定した。従って、凹状刃縁線１６及び凸状刃縁線１８を爪２２の形態に合わせ易い。
【００４１】
前記実施形態以外にも例えば下記のように構成してもよい。
・  前記実施形態では、上刃体２の刃付部１２で凹状刃縁線１６の対辺１９に対し両端部１６ａがなす鉛直距離Ｎ１９と、下刃体５の刃付部１４で凸状刃縁線１８の対辺２０に対し両端部１８ａがなす鉛直距離Ｎ２０とを同一に設定しているが、鉛直距離Ｎ１９と鉛直距離Ｎ２０とのうち一方を他方より小さくすることができる。
【００４２】
・  前記実施形態では、基準面Ｐ上において、上刃体２の刃付部１２における凹状刃縁線１６の両端部１６ａと下刃体５の刃付部１４における凸状刃縁線１８の両端部１８ａとが互いに一致しているが、凹状刃縁線１６の両端部１６ａと凸状刃縁線１８の両端部１８ａとを基準面Ｐ上で互いにずらしてもよい。
【００４３】
・  前記実施形態において、上刃体２の凹状刃縁線１６を前記鉛直面Ｖや水平面Ｈに投影させた投影刃縁線１６Ｖ，１６Ｈと下刃体５の凸状刃縁線１８を前記鉛直面Ｖや水平面Ｈに投影させた投影刃縁線１８Ｖ，１８Ｈとはそれらの両端部１６ａ，１８ａ間の想定線Ｑを弦とする単一半径の円弧状に形成されているが、互いに異なる複数の曲率半径の刃縁線を組み合わせて凹状刃縁線１６及び凸状刃縁線１８を形成することができる。
【００４４】
・  上記の投影刃縁線１６Ｖ，１６Ｈや投影刃縁線１８Ｖ，１８Ｈについては、楕円状に形成したり、複数の異なる曲率半径の円弧を組み合わせて形成したりしてもよい。
・  前記実施形態において、上刃体２の凹状刃縁線１６や下刃体５の凸状刃縁線１８については、単一半径の円弧状に形成したり、楕円状に形成したり、複数の異なる曲率半径の円弧を組み合わせて形成したりしてもよい。
【００４５】
・  前記実施形態において、上刃体２の凹状刃縁線１６や下刃体５の凸状刃縁線１８については、両端部１６ａ，１８ａと頂部１６ｂ，１８ｂとを互いに異なる曲率半径の円弧状に形成してもよく、例えば、両端部１６ａ，１８ａと頂部１６ｂ，１８ｂとのうち一方の曲率半径を他方の曲率半径より大きくしたり小さくしたりしてもよい。
【符号の説明】
【００４６】
１…爪切り、２…上刃体（第一刃体）、４…上刃体の先端部、５…下刃体（第二刃体）、７…下刃体の先端部、８…操作部材、１２…上刃体の刃付部、１４…下刃体の刃付部、１６…上刃体の凹状刃縁線、１６Ｖ…投影刃縁線、１６ａ…凹状刃縁線の両端部、１６ｂ…凹状刃縁線の頂部、１８…下刃体の凸状刃縁線、１８Ｖ…投影刃縁線、１８ａ…凸状刃縁線の両端部、１８ｂ…凸状刃縁線の頂部、１９…凹状刃縁線の対辺、２０…凸状刃縁線の対辺、Ｒ１６…凹状刃縁線の曲率半径、ＲＶ１６…投影刃縁線の曲率半径、Ｒ１８…凸状刃縁線の曲率半径、ＲＶ１８…投影刃縁線の曲率半径、Ｖ…鉛直面、Ｐ…基準面（第一基準面、第二基準面）、Ｑ…想定線、Ｗ…間隔、ＬＶ…鉛直距離、Ｍ１９…鉛直距離、Ｎ１９…鉛直距離、Ｍ２０…鉛直距離、Ｎ２０…鉛直距離。
【図１】
2018102408.tif 000003
【図２】
2018102408.tif 000004
【図３】
2018102408.tif 000005
【図４】
2018102408.tif 000006
【図５】
2018102408.tif 000007
【図６】
2018102408.tif 000008
【図７】
2018102408.tif 000009
【図８】
2018102408.tif 000010